【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
符号化されていない映像をエンコードして拡張基本レイヤの参照フレームを生成し、それぞれの拡張基本レイヤの参照フレームが基本レイヤの参照フレームと、関連する上位レイヤの参照フレームの少なくとも一部とを有するステップと、
前記符号化されていない映像と前記拡張基本レイヤの参照フレームとからフレームの残差を生成するステップとを有する映像符号化方法。
【請求項２】
請求項１に記載の映像符号化方法であって、
DCTに基づくコーデック又はウエーブレット（wavelet）に基づくコーデックを有するグループから選択されたスケーラブル・コーデックで、前記フレームの残差を符号化し、上位レイヤのフレームを生成するステップを更に有する方法。
【請求項３】
請求項１に記載の映像符号化方法であって、
ファイン・グラニュラ・スケーラブル（fine  granular  scalable）コーデックで、前記フレームの残差を符号化し、ファイン・グラニュラ・スケーラブル（fine  granular  scalable）上位レイヤのフレームを生成するステップを更に有する方法。
【請求項４】
請求項１に記載の映像符号化方法であって、
前記フレームの残差がＢフレームの残差を有する方法。
【請求項５】
請求項４に記載の映像符号化方法であって、
前記フレームの残差がＰフレームの残差を更に有する方法。
【請求項６】
請求項１に記載の映像符号化方法であって、
前記フレームの残差がＰフレームの残差を有する方法。
【請求項７】
基本レイヤのストリームと上位レイヤのストリームとを有する圧縮された映像をデコードする方法であって、
前記基本レイヤと上位レイヤのストリームとをデコードして拡張基本レイヤの参照フレームを生成し、それぞれの前記拡張基本レイヤの参照フレームが基本レイヤの参照フレームと、関連する上位レイヤの参照フレームの少なくとも一部とを有するステップと、
前記拡張基本レイヤの参照フレームからフレームの残差を予測するステップと
を有する方法。
【請求項８】
請求項７に記載の映像符号化方法であって、
DCTに基づくデコード又はウエーブレット（wavelet）に基づくデコードを有するグループから選択されたスケーラブル・デコードで、前記フレームの残差をデコードするステップを更に有する方法。
【請求項９】
請求項８に記載の映像符号化方法であって、
前記フレームの残差から上位レイヤのフレームを生成するステップと、
前記基本レイヤのフレームと前記上位レイヤのフレームとから拡張された映像を生成する生成するステップと
を更に有する方法。
【請求項１０】
請求項７に記載の映像符号化方法であって、
前記フレームの残差がＢフレームの残差を有する方法。
【請求項１１】
請求項１０に記載の映像符号化方法であって、
前記フレームの残差がＰフレームの残差を更に有する方法。
【請求項１２】
請求項７に記載の方法であって、
前記フレームの残差がＰフレームの残差を有する方法。
【請求項１３】
映像を符号化するメモリ媒体であって、
符号化されていない映像をエンコードして拡張基本レイヤの参照フレームを生成し、それぞれの前記拡張基本レイヤの参照フレームが基本レイヤの参照フレームと、関連する上位レイヤの参照フレームの少なくとも一部とを有するコードと、
前記符号化されていない映像と前記拡張基本レイヤの参照フレームとからフレームの残差を予測するコードと
を有するメモリ媒体。
【請求項１４】
請求項１３に記載の映像を符号化するメモリ媒体であって、
前記フレームの残差をスケーラブル・エンコードするコードを更に有するメモリ媒体。
【請求項１５】
請求項１３に記載の映像を符号化するメモリ媒体であって、
前記フレームの残差をファイン・グラニュラ・スケーラブル（fine  granular  scalable）エンコードするコードを更に有するメモリ媒体。
【請求項１６】
請求項１３に記載の映像を符号化するメモリ媒体であって、
前記フレームの残差がＢフレームの残差を有するメモリ媒体。
【請求項１７】
請求項１６に記載の映像を符号化するメモリ媒体であって、
前記フレームの残差がＰフレームの残差を更に有するメモリ媒体。
【請求項１８】
請求項１３に記載の映像を符号化するメモリ媒体であって、
前記フレームの残差がＰフレームの残差を有するメモリ媒体。
【請求項１９】
基本レイヤのストリームと上位レイヤのストリームとを有する圧縮された映像をデコードするメモリ媒体であって、
前記基本レイヤと上位レイヤのストリームをデコードして拡張基本レイヤの参照フレームを生成し、それぞれの前記拡張基本レイヤの参照フレームが基本レイヤの参照フレームと、関連する上位レイヤの参照フレームの少なくとも一部とを有するコードと、
前記拡張基本レイヤの参照フレームからフレームの残差を予測するコードと
を有するメモリ媒体。
【請求項２０】
請求項１９に記載の圧縮された映像をデコードするメモリ媒体であって、
前記フレームの残差をスケーラブル・デコードするコードを更に有し、
前記スケーラブル・デコードするコードは、DCTに基づくコード又はウエーブレット（wavelet）に基づくコードを有するグループから選択されるメモリ媒体。
【請求項２１】
請求項２０に記載の圧縮された映像をデコードするメモリ媒体であって、
前記フレームの残差から上位レイヤのフレームを生成するコードと、
前記基本レイヤのフレームと前記上位レイヤのフレームとから拡張された映像を生成するコードと
を更に有するメモリ媒体。
【請求項２２】
請求項１９に記載の圧縮された映像をデコードするメモリ媒体であって、
前記フレームの残差がＢフレームの残差を有するメモリ媒体。
【請求項２３】
請求項２２に記載の圧縮された映像をデコードするメモリ媒体であって、
前記フレームの残差がＰフレームの残差を更に有するメモリ媒体。
【請求項２４】
請求項１９に記載の圧縮された映像をデコードするメモリ媒体であって、
前記フレームの残差がＰフレームの残差を有するメモリ媒体。
【請求項２５】
映像を符号化する装置であって、
符号化されていない映像をエンコードして拡張基本レイヤの参照フレームを生成し、それぞれの前記拡張基本レイヤの参照フレームが基本レイヤの参照フレームと、関連する上位レイヤの参照フレームの少なくとも一部とを有する手段と、
前記符号化されていない映像と前記拡張基本レイヤの参照フレームとからフレームの残差を予測する手段と
を有する装置。
【請求項２６】
請求項２５に記載の映像を符号化する装置であって、
前記フレームの残差をスケーラブル・エンコードする手段を更に有する装置。
【請求項２７】
請求項２５に記載の映像を符号化する装置であって、
前記フレームの残差をファイン・グラニュラ・スケーラブル（fine  granular  scalable）エンコードするコードを更に有する装置。
【請求項２８】
請求項２５に記載の映像を符号化する装置であって、
前記フレームの残差がＢフレームの残差を有する装置。
【請求項２９】
請求項２８に記載の映像を符号化する装置であって、
前記フレームの残差がＰフレームの残差を更に有する装置。
【請求項３０】
請求項２５に記載の映像を符号化する装置であって、
前記フレームの残差がＰフレームの残差を有する装置。
【請求項３１】
基本レイヤのストリームと上位レイヤのストリームとを有する圧縮された映像をデコードする装置であって、
前記基本レイヤと上位レイヤのストリームとをデコードして拡張基本レイヤの参照フレームを生成し、それぞれの前記拡張基本レイヤの参照フレームが基本レイヤの参照フレームと、関連する上位レイヤの参照フレームの少なくとも一部とを有する手段と、
前記拡張基本レイヤの参照フレームからフレームの残差を予測する手段と
を有する装置。
【請求項３２】
請求項３１に記載の圧縮された映像をデコードする装置であって、
前記フレームの残差をデコードするスケーラブル・デコード手段を更に有し、
前記スケーラブル・デコード手段は、DCTに基づくデコード手段又はウエーブレット（wavelet）に基づくデコード手段を有するグループから選択される装置。
【請求項３３】
請求項３２に記載の圧縮された映像をデコードする装置であって、
前記フレームの残差から上位レイヤのフレームを生成する手段と、
前記基本レイヤのフレームと前記上位レイヤのフレームとから拡張された映像を生成する生成する手段と
を更に有する装置。
【請求項３４】
請求項３１に記載の圧縮された映像をデコードする装置であって、
前記フレームの残差がＢフレームの残差を有する装置。
【請求項３５】
請求項３４に記載の圧縮された映像をデコードする装置であって、
前記フレームの残差がＰフレームの残差を更に有する装置。
【請求項３６】
請求項３１に記載の圧縮された映像をデコードする装置であって、
前記フレームの残差がＰフレームの残差を有する装置。